(57)【要約】【課題】容器に投入された生ゴミを攪拌して特殊微生物の働きで醗酵処理する生ゴミ処理装置であって、容器に収容した生ゴミを効率良く加熱して、全ての生ゴミが分解処理出来る生ゴミ処理装置の提供。【解決手段】容器２内には生ゴミを攪拌する攪拌装置３を設け、そして容器外側には生ゴミを加熱して所定温度に保つ為に、加熱したオイルを収容して循環する加熱槽３４を備えている。【選択図】        図１
2004202350.tif 000002
【特許請求の範囲】
【請求項１】
容器に投入された生ゴミを攪拌して特殊微生物の働きで醗酵処理する生ゴミの処理装置において、上記容器内には生ゴミを攪拌する攪拌装置を設け、そして容器外側には生ゴミを加熱して所定の温度に保つ為に、加熱されたオイルを収容する加熱槽を備えたことを特徴とする生ゴミ処理装置。
【請求項２】
上記加熱槽内部にヒーターを内蔵すると共にオイルを満たして貯留型とした請求項１記載の生ゴミ処理装置。
【請求項３】
上記加熱槽にはオイルタンクを連結し、該オイルタンクから所定の温度に加熱したオイルを送り出す循環型とした請求項１記載の生ゴミ処理装置。
【請求項４】
上記容器を車両に搭載し、該容器後方には生ゴミを入れたバケットを載せて容器上部の入口となるホッパーに投入する為のエレベータを取付け、又容器後方には弓型に湾曲したコンベヤを備え、該弓型コンベヤはスライド可能に取付けられた請求項１、請求項２、又は請求項３記載の生ゴミ処理装置。
【発明の詳細な説明】
【０００１】
【発明の属する技術分野】
本発明は生ゴミを肥料や飼料に処理する為の容器を装着した生ゴミ処理装置に関するものである。
【０００２】
【従来の技術】
食品廃棄物再利用法が平成１３年５月から施行され、生ゴミは有機性資源とも食品循環資源とも呼ばれて排出事業者の責任によるリサイクル処理が義務付けられるようになっている。又、違反者には罰則を課して、食品残渣リサイクルの活性化を推進している。その相乗効果は、焼却によるエネルギーの消費抑制と二酸化炭素の削減と同時に、ダイオキシンの発生を抑制し、廃棄物最終処分地容量の延命、国内食糧自給率の向上が期待されている。
【０００３】
さらに、農林水産省が推進する「農業の自然循環機能の維持増進」と相まって、有機農産物の増加によるオーガニックフードが世に広まる事は、容易に考察することが出来る。それは健康寿命(介護を必要としない寿命)の向上という大きな視野にたった社会システムまでを意味している。これらのリサイクル情勢は、ゴミを出さない、再使用、再資源化の３つが示すように排出抑制に循環型社会の構築がさらに図られる。又、循環型社会形成推進基本法によって、まさに処理の形態がリサイクルというシステムに変貌していくことが示唆されている。
【０００４】
ところで、従来においても生ゴミを処理して有機肥料に変える装置及び方法は多く知られている。例えば、特開２０００−３２５９２８号に係る「生ゴミ処理装置」は、投入口と回収口を兼ねた開口部を備えた略円筒状の容器と、容器を回転自在に支持するスタンドと、開口部を閉蓋する蓋部材と、容器内に回転自在に配置された攪拌シャフトと、攪拌シャフトを回転させるモータと、ヒータとを備えており、容器はその回転中心が略水平となるようにスタンドによって支持されており、容器の回転によって開口部の高さ位置が変化するように構成している。そこで、この生ゴミ処理装置を家庭に設置することで、家庭で発生する生ゴミをその場で手軽に処理することが可能と成る。
【０００５】
又特開平１０−３４１１７号に係る「車載型生ゴミ処理装置」は車載可能な枠体上に、モータにより回転駆動され、温風機により内部が醗酵温度に保たれる生ゴミの醗酵回転ドラムと、モータ及び温風機に駆動電力を供給する直発電機とを設置し、これにより電灯線が配線されていない如何なる場所に設置しても直発電機にて得られた電力により生ゴミの醗酵及び消滅処理を可能にすると共に、車載したまま巡回回収して輸送中に生ゴミの醗酵及び消滅処理を可能としている。
この車載型生ゴミ処理装置は、例えば、特開２０００−３２５９２８号に係る「生ゴミ処理装置」のような設置型装置を大型化して車両に搭載出来るように構成したものである。
【０００６】
醗酵回転ドラムには生ゴミを入れて特殊な微生物と共に攪拌されるが、その処理方法には、
(１)生ゴミを特殊な微生物等の作用を用いて醗酵処理し、その大部分を水と二酸化炭素とに分解してしまう消滅処理する方法。
(２)生ゴミを特殊な微生物等の作用を用いて醗酵・熟成処理し、その大部分を肥料や飼料に転換させる肥料・飼料化処理する方法がある。
そして上記消滅処理、又は肥料・飼料処理の区別は、使用される微生物の種類や組み合せの相違、或は温度条件や攪拌タイミング等によって定まる。
【０００７】
ところで、上記回転ドラムに収容した生ゴミを醗酵させる為には、所定の高温に加熱しなくてはならないが、従来では電気ヒーターを使用したり、又はガスバーナーが用いられ高温に加熱した熱風が回転ドラムへ送り込まれる構造と成っている。しかし、電気やガスバーナーを利用する場合には熱効率が悪く、回転ドラム内に収容した生ゴミを均等に加熱することが出来なくて、すなわち部分的に加熱される為に該生ゴミが燃焼することがある。又、生ゴミが分解されずにそのまま残る場合も多い。
【０００８】
【発明が解決しようとする課題】
このように、従来の生ゴミ処理装置には上記のごとき問題がある。本発明が解決しようとする課題はこれら問題点であって、回転ドラム内に収容した生ゴミを効率よく加熱することで、全ての生ゴミが分解処理され得る生ゴミ処理装置を提供する。
【０００９】
【課題を解決する為の手段】
本発明に係る生ゴミ処理装置はその容器内部に攪拌装置が取付けられ、該攪拌装置は水平軸に羽根を取付けている。この羽根は容器内部に投入された生ゴミを攪拌すると共に、軸方向へ送ることが出来る羽根形態と成っている。そして容器の後方上部には投入口となるホッパーが設けられ、該ホッパーから生ゴミを投入することが出来る。
【００１０】
容器内に投入された生ゴミは醗酵するに最適な温度に保たれ、その為に容器外周には加熱槽を備えて高温に加熱したオイルを送り込んで循環している。オイルタンクを別に設けると共に、該オイルタンクにて該オイルを加熱し、高温になったオイルはポンプにて送り出され、加熱槽を循環して再びオイルタンクに戻される。又、加熱槽は循環型ではなく、ヒーターを内蔵してオイルを満たした貯留型とすることも出来る。
【００１１】
ところで、本発明の生ゴミ処理装置は、その攪拌装置を備えた容器を車両に搭載する場合、又は所定の場所に設置することも出来る。生ゴミを醗酵させる為には，その温度を７８℃〜８５℃にすると菌が最大限に働く為に、生ゴミの温度を８５℃にするには容器内側温度は約９５℃以上に上昇しなくてはならない。本発明では、該容器の外側に加熱槽を設ける為に、さらに５℃高くする必要がある。その為に、オイル温度は約１００℃以上に加熱している。以下、本発明に係る実施例を図面に基づいて詳細に説明する。
【００１２】
【実施例】
図１〜図４は本発明の生ゴミ処理装置を示している実施例であり、この実施例は車両型生ゴミ処理装置であって、図１は正面図、図２は平面図、図３は側面図、図４は図１のＡ−Ａ断面図を表わしている。そして同図の１は車両、２は生ゴミが投入されて処理される容器を示し、該容器２は車両の荷台に装着されている。該容器２の内部は大きな空間が形成され、この空間には攪拌装置３が取付けられて、微生物の働きで生ゴミを攪拌して分解処理することが出来る。
【００１３】
容器２の外周には加熱槽３４，３４・・が設けられ、該加熱槽３４には加熱したオイルが満たされて循環し、容器内に収容された生ゴミが醗酵処理されるに適した温度に保たれる。容器２の内部に取付けられている攪拌装置３の軸は前後の軸受け４ａ，４ｂに支持され、軸先端に取着したスプロケット５はモータ６の主軸に取付けたスプロケット７とチェーンを介して連動する。モータ６は容器前方に搭載した発電機８から電気を得て回り、容器内の攪拌装置３を回転駆動する。
【００１４】
容器２の上部には投入口となるホッパー９が設けられ、該ホッパー９からバケット１０に入れた生ゴミが投入されることになるが、バケット１０は容器２の後方に装着したエレベータ１１によって上昇し、上端にて反転することで中の生ゴミがホッパー９に投入される。容器２の内部には生ゴミと特殊微生物が入れられて攪拌され、そして容器内には上記加熱槽にて加熱されることで適温に保たれて醗酵処理される。
【００１５】
容器内の温度は限定されるものではなく、特殊微生物の種類や生ゴミの処理方法によって異なるが、一般的に７８℃〜８５℃に保たれ、この温度領域に保つことで特殊微生物が生ゴミを最大限に醗酵分解を行うことが出来る。そして所定時間攪拌され、特殊微生物の働きで醗酵処理された肥料又は飼料は容器２の後方に設けている排出口１２から排出される。容器後方にはコンベヤ１３が装着され、排出口１２から排出された肥料や飼料は該コンベヤ１３に載って運び出される。
【００１６】
上記バケット１０はバケット台１４に載置されてエレベータ１１に沿って上昇し、上端にてバケット１０はバケット台１４と共に図１に示すように反転することで中に入れた生ゴミはホッパー９に投入される。該エレベータ１１の上端と下端に設けているスプロケットにチェーンを２３巻き掛けし、該チェーン２３はガイドレール１５に沿って走行し、バケット台１４はチェーン２３に取着されている。バケット台１４は図５に示すように、底板１６と背板１７を有し、該背板１７の両側からアーム１８ａ，１８ｂを延ばし、アーム先端には揺動する手１９，１９を備えている。
【００１７】
手１９は軸２０を中心として揺動し、しかもバネ２１が取付けられていて、手１９は底板１６に載せたバケット１０を抱えることが出来る。又、アーム１８，１８の内側には内板２２が取付けられている。従って、バケット１０は両手１９，１９にて抱えられ、その大きさが違ってもバケット台１４に安定して載ることが出来る。車両は巡回して生ゴミを回収する事になるが、この際に、所々に置いてあるバケット１０はそのままバケット台１４に載せて容器２のホッパー９に生ゴミが投入される。
【００１８】
図６は容器後方に取付けられるコンベヤ１３を示している。該コンベヤ１３は滑らかな凹状に湾曲していて、しかもスライドすることが出来、両端にはモーターにて回転するローラ２４ａ，２４ｂを有し、このローラ２４ａ，２４ｂには一定幅のベルト２５が巻き掛けられている。ベルト２５は両ローラ間に設けている凹状に湾曲した底板２６に沿って走行し、ベルト２５を走らせることで該ベルト２５に載った肥料や飼料は運び出される。
【００１９】
そして凹状に湾曲した上記コンベヤ１３には２個の支持ローラ２６ａ，２６ｂを有し、この支持ローラ２６ａ，２６ｂは同じように湾曲したガイドレール２７に嵌って支持された状態にある(図７参照)。そこで、ガイドレール２７に載ったコンベヤ１３は該ガイドレール２７に沿って移動することが出来、左方向へ又は右方向へ延びる。その為に、コンベヤ１３の先端は車両側方へ大きく伸びる事が出来、又先端高さは高くなったり低くなったりする。すなわち、湾曲したガイドレール２７に重なり合う位置にコンベヤ１３が位置する場合には低く、逆にガイドレール２７から大きく食み出して左方向へ又は右方向へ伸びることで高くなる。
【００２０】
すなわち、本発明では弓型に湾曲したコンベヤ１３を備え、容器２の排出口１２から排出される肥料２８又は飼料をコンベヤ１３に載せ、そして該コンベヤ１３を引出して伸ばすことで先端の高さを適当に調整することが出来る。肥料２８又は飼料はコンベヤ１３の先端から流れ落ちる。該コンベヤ１３にはコ型の持ち手２９，２９…が取着され、該持ち手２９を握って引出すことが出来、適当な位置で固定される。
【００２１】
図８はコンベヤ中央部での縦断面を示しているが、上部には上方を開いた側板３０，３０が沿設され、湾曲した底板２６との間をベルト２５が走行する。そしてコンベヤ１３にはＬ型金具３１，３１…が取着され、該Ｌ型金具３１に設けている穴にピン３２を挿通し、該ピン３２はガイドレール２７の穴にも貫通している。従って、スライドして引出されたコンベヤ１３はＬ型金具３１の穴をガイドレール２７の穴に位置決めしたところでピン３２を挿入して定位置に固定する。
【００２２】
図９はコンベヤ先端部の縦断面を示している。先端にはローラ２４が設けられ、ベルト２５は該ローラ２４に巻付き、コンベヤ上部には底板２６に沿って側板３０，３０が沿設されている。そしてベルト２５は該底板２６と側板３０，３０との隙間を走行する。
【００２３】
ところで、上記容器内には攪拌装置３が取付けられている訳で、該攪拌装置３は水平軸から放射状に延びるアーム先端に羽根３３を取着している。ただし、本発明ではこの攪拌装置３の具体的な構造に関して限定はしないが、例えば、羽根３３を所定方向に傾斜した板材で構成し、水平軸の両端には三角形の羽根を取着することが出来る。そして、アームの長さは一定でなく、各々のアーム先端に取着した各羽根３３，３３・・で容器内の生ゴミを均一に攪拌することが出来る。
【００２４】
そして、一定方向に傾斜した板状羽根は水平軸を中心として回転することで、生ゴミを容器の軸方向へ送り、又逆転することで反対方向へ送られる。ただし、水平軸両端部から延びているアーム先端に取着した三角羽根は生ゴミの流れを押戻すように作用する。従って、生ゴミを容器内で循環させ、全体を均一に攪拌することが出来、又容器２の端面に大きな押圧力が作用しないようになる。
【００２５】
ところで、容器２に入れた生ゴミを微生物によって醗酵処理する為には、単に攪拌するだけでは不可能であり、適度な温度に保つことが必要である。本発明には該容器外側に加熱槽を取付け、図１０はこの加熱槽３４ａ，３４ｂ・・の正面図及び断面図を示している。オイルタンク３５は車両１の適当な位置に取付けられ、該オイルタンク内に取付けたヒーターによって、オイルを１００℃以上に加熱し、これをポンプによって循環する。
【００２６】
加熱槽３４ａには複数の仕切り３６，３６・・が設けられて、入口３７ａから入ったオイルは矢印のように流れ、出口３８ａから隣の加熱槽３４ｂの入口３７ｂに入り、この加熱槽３４ｂを同じく矢印に沿って流れる。そして、出口３８ｂから流出したオイルは再びオイルタンク３５へ戻されて、所定の温度に加熱される。加熱槽３４ａ，３４ｂは容器２の両側に２個づつ、合計４個取付けられ、容器外側を均等に加熱し、容器外側の熱は内部の生ゴミを所定温度に加熱する。生ゴミは、ガスバーナーによって加熱する場合に比較して均一であり、部分的な加熱は避けられる。従って、生ゴミが燃焼したり、逆に分解処理されないで残ることもない。
【００２７】
図１１はオイルタンク３５の具体例であって、加熱槽３４を循環して温度が下がったオイルは入口３９から流入し、内蔵しているヒーターによって加熱される。オイルは１００℃以上に加熱され、これをポンプで出口４０から送り出して循環することで容器内側の温度は約９５℃以上に上昇することが出来、容器内に収容している生ゴミは約７８℃〜８５℃に加熱される。この温度は、生ゴミが微生物によって醗酵処理されるに適した温度である。
【００２８】
そこで、オイルタンク３５には温度計及び温度調整器が備わって、オイルの温度を常に制御することが出来る。図１２は加熱槽４１ａ，４１ｂを備えた容器２を示している実施例である。この加熱槽４１ａ，４１ｂは前記実施例のような循環型ではなく貯留型であり、概略Ｕ形をして容器２の底面から両側面をカバーし、そして両加熱槽４１ａ，４１ｂは繋ぎ部４２を介して連通している。
【００２９】
そして、該加熱槽内にはヒーターが備わっていて、該ヒーターにより加熱槽４１ａ，４１ｂに収容しているオイルを加熱し、該オイルは対流して加熱槽全体を高温に加熱する。勿論、オイルの温度計及び温度調節器が設けられ、所定の温度に保たれる。又必要に応じて加熱槽内のオイル温度が均等に成るようにスクリューなどの攪拌器を取付けることも出来る。
【００３０】
以上述べたように、本発明の生ゴミ処理装置は、容器内に攪拌装置を取付け、容器外側には高温のオイルを収容した加熱槽を設けたものであり、次のような効果を得ることが出来る。
【００３１】
【発明の効果】
本発明の生ゴミ処理装置は、容器内に生ゴミを収容し、これを攪拌装置にて十分攪拌して該生ゴミを醗酵分解処理することが出来る。この場合、微生物が生ゴミを分解処理するに適した温度にしなければならないが、その為に容器外側には加熱槽を設けている。そして、加熱槽には加熱されたオイルが収容されて容器を加熱し、容器内の生ゴミの温度を所定の高温に保つことが出来る。しかも、生ゴミは均一に加熱されて、全ての生ゴミが残ることなく効率よく分解処理される。
【００３２】
該生ゴミ処理装置は生ゴミを処理する為に容器を車両に装着することが出来、車で巡回しながら生ゴミを容器に投入して処理することが出来る。そして容器後方にはエレベータを備え、該エレベータにて生ゴミを入れたバケットを持ち上げて入り口ホッパーから投入することが出来る。エレベータにはバケット台が取付けられ、このバケット台に生ゴミが入っているバケットを載せて上昇し、上端にて反転することが出来る。
【００３３】
一方、容器後方にはコンベヤを設け、該コンベヤにて容器から排出される肥料や飼料を運び出すことが出来る。そして、該コンベヤは弓型に湾曲していて、しかもスライド可能な構造と成っている為に、コンベヤを引出すことで肥料や飼料を適当な場所へ運び入れることが出来る。又弓型に湾曲している為に引き伸ばしたコンベヤ先端は高くなり、排出口より高い場所への運び出しが可能となる。
【図面の簡単な説明】
【図１】車両型生ゴミ処理装置の正面図。
【図２】車両型生ゴミ処理装置の平面図。
【図３】車両型生ゴミ処理装置の側面図。
【図４】図１のＡ−Ａ断面図。
【図５】エレベータに取付けられるバケット台。
【図６】容器後方のコンベヤ。
【図７】コンベヤがスライドする為の支持ローラが嵌っているガイドレール。
【図８】コンベヤ中央部縦断面。
【図９】コンベヤ先端部縦断面。
【図10】容器に取付けた循環型オイルジャケット。
【図11】オイルタンクの具体例。
【図12】オイルジャケットを備えた容器。
【符号の説明】
１  車両
２  容器
３  攪拌装置
９  ホッパー
10  バケット
11  エレベータ
12  排出口
13  コンベヤ
14  バケット台
34  加熱槽
35  オイルタンク
41  加熱槽
【図１】
2004202350.tif 000003
【図２】
2004202350.tif 000004
【図３】
2004202350.tif 000005
【図４】
2004202350.tif 000006
【図５】
2004202350.tif 000007
【図６】
2004202350.tif 000008
【図７】
2004202350.tif 000009
【図８】
2004202350.tif 000010
【図９】
2004202350.tif 000011
【図１０】
2004202350.tif 000012
【図１１】
2004202350.tif 000013
【図１２】
2004202350.tif 000014